(57)【要約】【課題】複雑な演算処理を必要とせず、迅速に駐車料金の割引精算処理を行うことができる駐車料金算出方法および駐車料金算出システムを提供すること。【解決手段】駐車料金算出システムは、記憶媒体１と、駐車場Ｐの入口に設置され、車両が駐車場Ｐに入庫した時刻を入庫時刻として記憶媒体１に書き込む入口路上機２Ａと、各店舗に設置され、記憶媒体１に書き込まれた入庫時刻を読み取り、この入庫時刻に、商品の購入に対する支払金額に応じた割引時間を加算して算出した割引後入庫時刻を記憶媒体１に書き込む店舗用端末３Ａと、車両が駐車場Ｐから出庫する際の出庫時刻から記憶媒体１に書き込まれた割引後入庫時刻を減算して算出した駐車時間に応じて駐車料金を算出する出口精算機４Ａとを備えている。【選択図】　　　図１
2004110726.tif 000002
【特許請求の範囲】
【請求項１】
車両が駐車場に入庫する際の入庫時刻を記憶媒体に記録し、
店舗における商品の購入の都度、上記商品の支払金額に応じた割引時間を上記入庫時刻に加算して算出した割引後入庫時刻を上記記憶媒体に書き込み、
上記車両が上記駐車場から出庫する際の出庫時刻から上記記憶媒体に書き込まれた上記割引後入庫時刻を減算して算出した駐車時間に応じて駐車料金を算出する
ことを特徴とする駐車料金算出方法。
【請求項２】
記憶媒体と、
駐車場の入口に設置され、車両が駐車場に入庫した時刻を入庫時刻として上記記憶媒体に書き込む入口路上機と、
各店舗に設置され、上記記憶媒体に書き込まれた上記入庫時刻を読み取り、該入庫時刻に、商品の購入に対する支払金額に応じた割引時間を加算して算出した割引後入庫時刻を上記記憶媒体に書き込む店舗用端末と、
上記車両が上記駐車場から出庫する際の出庫時刻から上記記憶媒体に書き込まれた上記割引後入庫時刻を減算して算出した駐車時間に応じて駐車料金を算出する出口精算機と、
を備えたことを特徴とする駐車料金算出システム。
【請求項３】
前記店舗用端末は、上記記憶媒体に書き込まれた入庫時刻を読み取る読取手段と、上記商品の購入に対する支払金額に応じた割引時間を予め記憶した記憶手段と、上記読取手段で読み取られた上記入庫時刻に、上記記憶手段から読み出された上記割引時間を加算して割引後入庫時刻を算出する演算手段と、上記演算手段で算出された上記割引後入庫時刻を上記記憶媒体に書き込む書込手段とを含む
ことを特徴とする請求項２記載の駐車料金算出システム。
【請求項４】
前記記憶手段は、前記割引時間を更新可能に記憶している
ことを特徴とする請求項３記載の駐車料金算出システム。
【請求項５】
前記出口精算機は、前記記憶媒体に書き込まれた前記割引後入庫時刻を読み取る読取手段と、上記車両が上記駐車場から出庫する際の出庫時刻から上記読取手段で読み取られた前記割引後入庫時刻を減算して駐車時間を算出し、算出した上記駐車時間に対応する駐車料金を算出する演算手段とを含む
ことを特徴とする請求項２記載の駐車料金算出システム。
【発明の詳細な説明】
【０００１】
【発明の属する技術分野】
この発明は、駐車時間に対して駐車料金を精算する駐車料金算出方法および駐車料金算出システムに関するものである。
【０００２】
【従来の技術】
従来の駐車料金算出方法として、次のような方法がある。まず、車両をショッピングセンター等の駐車場に入庫する際に、駐車場入口に設置した駐車券発行機より入庫時刻を記入した駐車券を発行してもらう。その後、顧客は駐車券を携帯して各売場を回り、買い物をした際にレシートを受け取る。買い物終了後、顧客は、駐車場へ行き出庫の際に、駐車券を駐車場出口の出口端末のカードリーダに読み取らせると共に、レシートを係員に提示する。出口端末では、その演算機能により駐車券に書き込まれた入庫時刻と現在の出庫時刻より駐車時間を演算し、この駐車時間に応じた駐車料金を求める。係員は、レシートに記入された金額より料金表等を用いて駐車料金の割引金額を求め、この割引金額を駐車時間に応じた駐車料金より減算して割引後の駐車料金を請求する。
【０００３】
このような方法では、駐車時間より駐車料金を自動算出するにも拘わらず、割引演算処理はレシートに記入された支払金額を係員が目視し、この支払金額に対応した割引金額を料金表等から確認した後に、駐車料金と割引金額を計算機等に入力して割引後の駐車料金を求めていたため、人手がかかり迅速な精算処理ができず、複数の車両が出庫待ちであると出庫に時間を要したり、場合によっては出庫待ちの間に出庫時刻が進んで駐車時間が長く演算され、不当な駐車料金が請求されることもある。また、買い物の途中でレシートを紛失又は貰い忘れしたり、印字が不鮮明となり支払い金額を視認することが不可能となると、顧客は割引サービスが受けられず不快感を感じる結果となる。
【０００４】
このような不具合を解消するために、たとえば特開平９−７３５６４号公報（特許文献１参照）に開示された駐車料金精算システムがある。図１４は、上述の公開公報に開示されている従来の駐車料金精算システムの構成図である。図１４において、顧客が、車で商店街に訪れ、駐車場の入口に設置してあるＩＣカード端末（図示しない）にＩＣカード１を挿入すると、現在の入庫時刻、たとえば１３時１５分が書き込まれる。
【０００５】
その後、顧客は、商店街のＡ店、Ｂ店、Ｃ店で買い物をする毎に、各商店備え付けのＩＣカード端末３にＩＣカード１を挿入して、支払金額に応じた付加ポイント数を書き込んでもらう。３件の商店で買い物した結果、それぞれの支払金額が、たとえば５００円、７０００円、２５００円であると、各商店においてＩＣカード１に５，７０，２５のポイントが書き込まれる。
【０００６】
買い物を終了し、駐車場から出庫する時点で駐車場に設置されているＩＣカード端末４を使用して出庫時刻１４時３０分をＩＣカードに書き込むと同時に駐車時間を算出して書き込む。入庫時刻が１３時１５分で出庫時刻が１４時３０分であるから、駐車時間は１時間１５分と書き込まれる。駐車料金は１時間までは５００円、延長料金３０分毎に２５０円であるので、駐車料金は７５０円と算出される。累計ポイント数は１００であるから、付加ポイント数１毎に１円割り引かれるので割引金額は１００円となり、顧客の駐車料金負担額は６５０円となる。顧客はその金額を支払って出庫する。
【０００７】
各店は一定時間毎に、たとえば１日に１回所定の時刻に、各店に設置されているＩＣカード端末３を使用して売上金額および付加ポイント数のデータを、事務局に設置されている管理用パソコン３Ｃに送信する。一方駐車場からは、累計ポイント数および駐車料金の割引金額に関するデータを駐車場に設置されているＩＣカード端末４を使用して管理用パソコン３Ｃに送信される。事務局では駐車料金の割引金額を、各店の売上金額に応じて各店に割り振り負担させる。
【０００８】
【特許文献１】
特開平９−７３５６４号公報
【０００９】
【発明が解決しようとする課題】
上述の従来システムは、駐車場からの出庫時に、ＩＣカード１より各ポイントを読み出してその累計を計算し、１ポイント当たりの割引率より駐車場の割引金額を算出して客負担の割引駐車料金を算出するため計算過程が多く、駐車料金を管理するためのシステムを無人化した割には、割引金額の算出に時間を要し、迅速な精算処理がなされない。
【００１０】
また、割引金額の算出処理に当たって、各商店毎に各ポイントに対する割引率が更新されると、事務局の管理用パソコン３Ｃは、割引率の変更に伴って割引料金算出用の演算処理データ等を手直しする必要があり、ソフトウェアのメンテナスが面倒であった。
【００１１】
この発明は、上記のような問題点を解消するためになされたもので、複雑な演算処理を必要とせず、迅速に駐車料金の割引精算処理を行うことができる駐車料金算出方法および駐車料金算出システムを提供することを目的とする。
【００１２】
【課題を解決するための手段】
上記課題を解決するためになされた請求項１記載の発明は、車両が駐車場に入庫する際の入庫時刻を記憶媒体に記録し、店舗における商品の購入の都度、上記商品の支払金額に応じた割引時間を上記入庫時刻に加算して算出した割引後入庫時刻を上記記憶媒体に書き込み、上記車両が上記駐車場から出庫する際の出庫時刻から上記記憶媒体に書き込まれた上記割引後入庫時刻を減算して算出した駐車時間に応じて駐車料金を算出することを特徴とする駐車料金算出方法に存する。
【００１３】
請求項１記載の発明によれば、駐車料金算出方法は、車両が駐車場に入庫する際の入庫時刻を記憶媒体に記録し、店舗における商品の購入の都度、商品の支払金額に応じた割引時間を入庫時刻に加算して算出した割引後入庫時刻を記憶媒体に書き込み、車両が駐車場から出庫する際の出庫時刻から記憶媒体に書き込まれた割引後入庫時刻を減算して算出した駐車時間に応じて駐車料金を算出するので、出庫時における割引金額の算出処理が不要となり、精算処理を迅速に行うことができる。
【００１４】
上記課題を解決するためになされた請求項２記載の発明は、記憶媒体と、駐車場の入口に設置され、車両が駐車場に入庫した時刻を入庫時刻として上記記憶媒体に書き込む入口路上機と、各店舗に設置され、上記記憶媒体に書き込まれた入庫時刻を読み取り、該入庫時刻に、商品の購入に対する支払金額に応じた割引時間を加算して算出した割引後入庫時刻を上記記憶媒体に書き込む店舗用端末と、上記車両が上記駐車場から出庫する際の出庫時刻から上記記憶媒体に書き込まれた上記割引後入庫時刻を減算して算出した駐車時間に応じて駐車料金を算出する出口精算機と、を備えたことを特徴とする駐車料金算出システムに存する。
【００１５】
請求項２記載の発明によれば、駐車料金算出システムは、記憶媒体と、駐車場の入口に設置され、車両が駐車場に入庫した時刻を入庫時刻として記憶媒体に書き込む入口路上機と、各店舗に設置され、記憶媒体に書き込まれた入庫時刻を読み取り、該入庫時刻に、商品の購入に対する支払金額に応じた割引時間を加算して算出した割引後入庫時刻を記憶媒体に書き込む店舗用端末と、車両が駐車場から出庫する際の出庫時刻から記憶媒体に書き込まれた割引後入庫時刻を減算して算出した駐車時間に応じて駐車料金を算出する出口精算機と、を備えているので、各店舗で買い物し支払金額の累計が増す毎に記憶媒体に書き込まれる割引後入庫時刻が遅くなり、出庫時には割引後入庫時刻と出庫時刻との差が縮まって駐車時間が短く演算され、駐車時間に応じて支払う駐車料金は、各店舗での支払金額に応じた割引金額となるため、出庫時の精算処理は、駐車時間の算出と駐車料金の算出とに一本化され、システムの構成を簡略化することができる。
【００１６】
上記課題を解決するためになされた請求項３記載の発明は、前記店舗用端末は、上記記憶媒体に書き込まれた入庫時刻を読み取る読取手段と、上記商品の購入に対する支払金額に応じた割引時間を予め記憶した記憶手段と、上記読取手段で読み取られた上記入庫時刻に、上記記憶手段から読み出された上記割引時間を加算して割引後入庫時刻を算出する演算手段と、上記演算手段で算出された上記割引後入庫時刻を上記記憶媒体に書き込む書込手段とを含むことを特徴とする請求項２記載の駐車料金算出システムに存する。
【００１７】
請求項３記載の発明によれば、店舗用端末は、記憶媒体に書き込まれた入庫時刻を読み取る読取手段と、商品の購入に対する支払金額に応じた割引時間を予め記憶した記憶手段と、読取手段で読み取られた入庫時刻に、記憶手段から読み出された割引時間を加算して割引後入庫時刻を算出する演算手段と、演算手段で算出された割引後入庫時刻を記憶媒体に書き込む書込手段とを含むので、割引後入庫時刻が、支払金額を入力するのみで、迅速に算出されて記憶媒体に書き込まれるという効果がある。
【００１８】
上記課題を解決するためになされた請求項４記載の発明は、前記記憶手段は、前記割引時間を更新可能に記憶していることを特徴とする請求項３記載の駐車料金算出システムに存する。
【００１９】
請求項４記載の発明によれば、記憶手段は、割引時間を更新可能に記憶しているので、支払金額に対する割引金額は適宜、任意に設定することができ、そのため、割引時間が変更された場合でも、支払金額に対する割引時間は、記憶手段を参照して決定することで、割引時間の変更にかかわらず割引後入庫時刻を容易に求めることができる。
【００２０】
上記課題を解決するためになされた請求項５記載の発明は、前記出口精算機は、前記記憶媒体に書き込まれた前記割引後入庫時刻を読み取る読取手段と、上記車両が上記駐車場から出庫する際の出庫時刻から上記読取手段で読み取られた前記割引後入庫時刻を減算して駐車時間を算出し、算出した上記駐車時間に対応する駐車料金を算出する演算手段とを含むことを特徴とする請求項２記載の駐車料金算出システムに存する。
【００２１】
請求項５記載の発明によれば、出口精算機は、記憶媒体に書き込まれた割引後入庫時刻を読み取る読取手段と、車両が駐車場から出庫する際の出庫時刻から読取手段で読み取られた割引後入庫時刻を減算して駐車時間を算出し、算出した駐車時間に対応する駐車料金を算出する演算手段とを含むので、支払金額に応じた割引率を考慮することなく、割引後の駐車料金を迅速に求めることができる。
【００２２】
【発明の実施の形態】
以下、本発明の実施の形態を添付図面を参照しながら説明する。図１は、本発明の実施の形態に係る駐車料金算出システムの構成図である。駐車料金算出システムは、記憶媒体としてのＩＣカード１と、たとえばショッピングセンターの駐車場Ｐの入口に設置され、ＩＣカード１が挿入される入口路上機２Ａと、たとえば、ショッピングセンター内の各店舗に設置され、ＩＣカード１が挿入される店舗用端末３Ａと、駐車場Ｐの出口に設置され、ＩＣカード１が挿入される出口精算機４Ａとから構成される。
【００２３】
入口路上機２Ａは、図２に示すように、カードリーダライタ２１、制御部２２、時計部２３および表示灯２４を備えている。カードリーダライタ２１は、ＩＣカード１に入庫時刻を書き込み、時計部２３は、実時刻情報を出力し、制御部２２は、カードリーダライタ２１をアクセスして読み取ったデータを処理すると共に、時計部２３より入力した入庫時刻をカードリーダライタ２１に送り、表示灯２４は、入口路上機２Ａの運転中をランプ表示する。なお、図示しないが、制御部２２に、データ処理結果を音声合成により報知する機能を備えてもよい。
【００２４】
図３は、入口路上機２Ａの外観を示す斜視図である。入口路上機２Ａの筐体の正面パネルには、カードリーダライタ２１のカード挿入口２１ａと表示灯２４とが備えられている。
【００２５】
店舗用端末３Ａは、図４に示すように、読取手段および書込手段としてのカードリーダライタ３１、演算手段としての制御部３２、記憶手段としてのメモリ３３、商品処理機能３４および表示器３５を備えている。カードリーダライタ３１は、ＩＣカード１に書き込まれた入庫時刻を読み取ると共に、支払金額に応じた割引時間をＩＣカード１に書き込み、制御部３２は、割引後入庫時刻を算出すると共に店舗用端末３Ａ全体の制御を司り、メモリ３３は、各支払金額に応じた割引時間（たとえば、支払金額１００円毎に１分の割引時間）を予め記憶しており商品処理機能３４は、キーボードＫＢより入力された支払金額に応じて、メモリ３３より呼び出す割引時間を決定し、表示器３５は、カードリーダライタ３１で読み取ったＩＣカード１の記憶データおよびカードリーダライタ３１でＩＣカード１に書き込むデータを表示する。なお、メモリ３３は、各支払金額に応じた割引時間を更新可能に書き込むことができる。したがって、各店舗では、その時々に応じて割引時間を更新することができる。
【００２６】
図５は、店舗用端末３Ａの外観を示す斜視図である。店舗用端末３Ａの筐体の上面パネルには、カードリーダライタ３１のカード挿入口３１ａと表示器３５とが備えられている。支払金額は、キーボードＫＢにおけるテンキー操作により店舗用端末３Ａに入力される。なお、支払金額は、ＰＯＳシステムを構成する売場のキャッシュレジスターより精算時に入力させるようにしてもよい。商品処理機能３４は、入力された支払金額に応じた割引時間をメモリ３３より読み出す。
【００２７】
出口精算機４Ａは、図６に示すように、読取手段としてのカードリーダ４１、演算手段としての制御部４２、利用料金収集機能４３、時計部４４、表示器４５およびプリンタ４６を備えている。
【００２８】
カードリーダ４１は、ＩＣカード１より各店舗における支払い金額、割引時間等のデータを読み取り、制御部４２は、時計部４４より読み込んだ実時刻とＩＣカード１より読み込んだ割引後入庫時刻とにより駐車時間を求め、この駐車時間より駐車料金を算出すると共に、算出した駐車料金と、カードリーダ４１より読み取った各店舗での支払い金額に対応する割引後駐車時間とを表示器４５およびプリンタ４６に出力し、利用料金収集機能４３は、駐車料金を精算する場合に駐車料金を収集し、表示器４５は、求めた駐車時間および駐車料金を表示し、プリンタ４６は、ＩＣカード１より読み取った各店舗における支払い金額と、この支払い金額に対応した割引時間、更に制御部４２で求めた駐車時間および駐車料金を印字出力する。
【００２９】
図７は、出口精算機４Ａの外観を示す斜視図である。出口精算機４Ａの筐体の正面パネルには、カードリーダ４１のカード挿入口４１ａ、利用料金収集機能４３の一部である利用料金挿入口４３ａ、表示器４５およびプリンタ４６の印字用紙排出口４６ａが備えられている。
【００３０】
上述の各機２Ａ，３Ａ，４Ａにおける制御部２２，３２，４２の機能、商品処理機能３４および利用料金収集機能４３は、図８に示すマイコンのマイクロプロセッサＣＰＵにより実施される。図８のマイコンは、データ入出力処理、データ演算処理を行うマイクロプロセッサＣＰＵと、マイクロプロセッサＣＰＵの動作サイクルを決める基準クロックを発生するクロックジェネレータＣＧと、マイクロプロセッサＣＰＵが行う各種処理のプログラム、処理用データ（テーブルも含む）、演算結果および入力データを記憶するメモリＭと、マイクロプロセッサＣＰＵおよびメモリＭにデータを入出力制御する入・出力インタフェースＩ／Ｆと、マイクロプロセッサＣＰＵ、メモリＭおよび入・出力インタフェースＩ／Ｆとの間でアドレス信号、データ、制御信号を入出力するアドレスバスＡＢ、データバスＤＢおよび制御信号バスＣＢとから構成されている。
【００３１】
カードリーダライタ２１、カードリーダライタ３１、カードリーダ４１、プリンタ４６、表示器４５および表示灯２４と、マイコンのマイクロプロセッサＣＰＵおよびメモリＭとの間の信号授受は、信号が入力バスＰｉｎ、出力バスＰｏｕｔを通して入・出力インタフェースＩ／ＦのＩ／Ｏポートに入出力されることで、入・出力インタフェースＩ／Ｆを介して行われる。
【００３２】
次に、本実施の形態の動作について図９〜図１４を参照して説明する。本実施の形態によれば、図９の顧客ショッピング経路に示すように、たとえば、顧客の車両Ｍが駐車場に入庫し、顧客が、たとえば入庫時に発行されたＩＣカード１を入口路上機２Ａのカードリーダライタ２１に挿入すると、入庫時刻、たとえば１４：００がＩＣカード１に書き込まれる。次いで、顧客は、ＩＣカード１を受け取った後、車両Ｍを走行させて入口ゲートＧ１を通過させ、所定の駐車枠に停止した後にショッピングセンターの売場に向かう。
【００３３】
顧客が、たとえば売場の店舗Ａ，店舗Ｂ及び店舗Ｃで買い物をしたとすれば、各店舗Ａ，Ｂ，Ｃでそれぞれ買い物をする毎に、店舗用端末３Ａのカードリーダライタ３１にＩＣカード１を挿入すると、ＩＣカード１に、入庫時に書き込まれた入庫時刻にその店舗で購入した商品に対応する支払金額に応じた割引時間を加算して算出された割引後入庫時刻が書き込まれる。
【００３４】
たとえば、イベントとして、駐車場に入庫した際には、入口路上器機ＡにおいてＩＣカード１に入庫時刻１４：００が記録される。店舗Ａでたとえば１０００円の買い物をした際には、店舗Ａの店舗用端末３Ａにおいて、ＩＣカード１に記録された入庫時刻１４：００に、支払金額１０００円に対する割引時間１０分が加算された割引後入庫時刻１４：１０として記録される。同様に、店舗Ｂでたとえば３００円の商品の買い物をした際には、店舗Ｂの店舗用端末３Ａにおいて、ＩＣカード１に記録された割引後入庫時刻１４：１０にさらに割引時間３分が加算されて、新たな割引後入庫時刻１４：１３が記録される。同様に、店舗Ｃで５００円の買い物をした際には、店舗Ｃの店舗用端末３Ａにおいて、ＩＣカード１に記録された割引後入庫時刻１４：１３にさらに割引時間５分が加算されて、新たな割引後入庫時刻１４：１８が記録される。このように、買い物をする毎に、新たな割引後入庫時刻がＩＣカード１に記録される。
【００３５】
ＩＣカード１には、図１０に示すように、イベントの発生毎に、時系列的に、各店舗Ａ，Ｂ，Ｃでの支払金額に対応して割引時間が加算された割引後入庫時刻が記録される。顧客が、たとえば実時刻１５：００で出庫して駐車料金を精算する時点では、最終の割引後入庫時刻が１４：１８と記録されている。
【００３６】
顧客が、割引後入庫時刻を記録したＩＣカード１を、出庫の際に出口精算機４Ａのカードリーダ４１に挿入すると、制御部４２は、時計部４４より入力された出庫時刻１５：００から、カードリーダ４１でＩＣカード１から読み出された最終の割引後入庫時刻１４：１８を減算して駐車時間４２分を算出し、算出された駐車時間４２分に対応した駐車料金を算出して、表示器４５およびプリンタ４６から出力する。顧客は、その駐車料金を精算してゲートＧ２から出庫する。
【００３７】
次に、この様な一連の動作を行う各機の処理動作について説明する。
【００３８】
（入口路上機２Ａの処理）
入口路上機２Ａの制御部２２における処理は、図１１のフローチャートに示される。まず、カードリーダライタ２１よりＩＣカード１の入力を待機した後に、ＩＣカード１の読み取りがあったか否かを判定する（ステップＳ１０１，Ｓ１０３）。読み取りがなかったことが判定されたならば、ステップＳ１０１に戻り、再度待機状態となる。
【００３９】
ステップＳ１０３でＩＣカード１の読み取りがあったと判定されたならば、制御部２２は、ＩＣカード１より駐車料金割引精算用のカードであることを示すカード情報を読み取り、正規のＩＣカード１か否かを判定する（ステップＳ１０５）。ここで、正規のＩＣカード１でないことが判定されたならば、制御部２２はカードリーダライタ２１を駆動し、ＩＣカード１をカード挿入口２１ａより排出し、音声合成にて警告をアナウンスする（ステップＳ１１１）。
【００４０】
ステップＳ１０５で正規のＩＣカード１であることが判定されたならば、制御部２２は、時計部２３より現在の入庫時刻を読み出し、この入庫時刻データをカードリーダライタ２１に出力して入庫時刻としてＩＣカード１に書き込む（ステップＳ１０７，Ｓ１０９）。
【００４１】
（店舗用端末３Ａの処理）
各店舗に配置された店舗用端末３Ａの制御部３２および商品処理機能３４の処理は、図１２のフローチャートに示される。まず、制御部３２は、カードリーダライタ３１よりＩＣカード１の入力を待機した後に、ＩＣカード１の読み取りがあったか否かを判定する（ステップＳ２０１，Ｓ２０３）。読み取りがなかったと判定されたならば、ステップＳ２０１に戻り、再度待機状態となる。
【００４２】
ステップＳ２０３でＩＣカード１の読み取りがあったことが判定されたならば、制御部３２は、キーボードＫＢより支払金額情報が入力されたか否かを判定する（ステップＳ２０５）。支払金額情報が入力されたことが判定されたならば、商品処理機能３４は、支払金額に対応して付与される割引時間付与条件をメモリ３３より読み出す（ステップＳ２０７）。
【００４３】
次に、割引時間付与条件に変更が有ったか否かを判定する（ステップＳ２０９）。これは、割引時間が通常１００円に付き１分であったのが、たとえば、サービスデーにより５０円に付き１分に変更されたか否か等を判定する。割引時間付与条件の変更は、メモリ３３にテーブルとして記憶された最低割引時間に対する支払金額情報の変更を読み取ることで判定できる。
【００４４】
割引時間付与条件に変更がないことが判定されたならば、商品処理機能３４は、支払金額が割引時間付与条件で設定された上限値を越えたか否かを判定する（ステップＳ２１５）。これは、高額な買い物をした結果、付与する割引時間が大きくなり、この割引時間を入庫時刻に加算すると割引後入庫時刻が実際の出庫時刻より遅くなり、出庫時の料金精算に不具合が生じることが予想されるからである。
【００４５】
上限値を越えたことが判定されたならば、商品処理機能３４は、上限値に対して付与される上限割引時間、たとえば３０分をメモリ３３より読み出して制御部２２に出力する（ステップＳ２１９）。制御部２２は、上限割引時間３０分を入庫時刻に加算して算出した割引後入庫時刻をカードリーダライタ３１に出力してＩＣカード１に書き込むと共に、表示器４５に、割引後入庫時刻を支払金額と共に表示させる（ステップＳ２１３）。この結果、たとえば、実際には１４：００に駐車場に入庫した場合には、ＩＣカード１上では、１４：３０分に入庫したことになる。
【００４６】
店舗での支払金額が、たとえば１０００円であり、ステップＳ２１５で商品処理機能３４が支払金額が上限値を越えないことを判定したならば、１０００円に対して１０分の割引時間を読み出して制御部２２に出力する（ステップＳ２１７）。制御部２２は、この割引時間を駐車場入庫時刻に加算して割引後入庫時刻を算出し、算出した割引後入庫時刻をカードリーダライタ３１に出力してＩＣカード１に書き込むと共に、表示器４５にこの割引後入庫時刻を支払金額と共に表示させる（ステップＳ２１３）。この結果、たとえば、実際には１４：００に駐車場に入庫した場合には、ＩＣカード１上では、１４：１０分に入庫したことになる。
【００４７】
一方、ステップＳ２０９において、商品処理機能３４は、割引時間付与条件に変更があったことが判定されたならば、付与条件に応じた割引時間をメモリ３３より読み出し、入庫時刻に加算する割引時間を設定する（ステップＳ２１１）。たとえば、割引時間を支払金額５００円に対して１０分、上限金額を支払金額２００００円とした場合に付与する割引時間を４０分とする。
【００４８】
商品処理機能３４は、支払金額２００００円に対する割引時間をメモリ３３より読み出して制御部３２に出力する（ステップＳ２１２）。制御部３２は、この割引時間４０分を入庫時刻１４：００に加算して算出した割引後入庫時刻１４：４０をカードリーダライタ３１に出力し、ＩＣカード１に書き込むと共に、表示器４５に支払金額２００００円と割引後入庫時刻１４：４０とを表示させる（ステップＳ２１３）。なお、割引時間の付与条件は、上記に限定されず、任意に店舗側で設定してもよい。
【００４９】
（出口精算機４Ａの処理）
出口精算機４Ａにおける制御部４２および利用料金収集機能４３の処理は、図１３のフローチャートに示される。まず、制御部４２は、カードリーダ４１によるカード入力を待機した後に、ＩＣカード１よりデータが読み出されたか否かを判定する（ステップＳ３０１，３０３）。データの読み出しがあったことが判定されたならば、制御部４２は、ＩＣカード１に書き込まれている割引後入庫時刻のうちの最終の割引後入庫時刻を読み出す（ステップＳ３０５）。
【００５０】
割引後入庫時刻が読み出されたならば、制御部４２は、時計部４４より読み出した出庫時刻から割引後入庫時刻を減算する演算を行い駐車時間を算出する（ステップＳ３０７）。次いで、制御部４２は、演算結果（すなわち、算出された駐車時間）から、たとえば基本料金を課す駐車時間３０分を減算する（ステップＳ３０９）。更に、制御部４２は、この演算結果が、追加駐車料金を課す最小単位時間であるたとえば１０分より大きいか否かを判定し（ステップＳ３１１）、駐車時間が１０分より大きくなければ、駐車料金を基本料金に設定し（ステップＳ３１３）、次いで、駐車料金を表示器４５に表示すると共にプリンタ４６から駐車料金と各店舗での支払い金額に対応した割引後駐車時間を印字出力する（ステップＳ３１９）。
【００５１】
ステップＳ３１１の判定の結果、演算結果が１０分より大きいと判定されたならば、制御部４２は、減算結果を１０で除算して整数分を求める（ステップＳ３１５）。次いで、制御部４２は、整数分に１０を乗算した後に、基本料金を加算する演算を行って駐車料金を算出し（ステップＳ３１７）、次いで、演算結果（すなわち、算出された駐車料金）を表示器４５に表示しかつプリンタ４６から駐車料金と各店舗での支払い金額に対応した割引後駐車時間を印字出力する（ステップＳ３１９）。
【００５２】
顧客は、表示器４５に表示された駐車料金を見て、料金を利用料金挿入口４３ａに挿入して精算する。その結果、制御部４２の制御によりゲートＧ２が開き、車の出庫が可能となる。なお、ＩＣカード１が、駐車場で発行されたものであれば出口精算機４Ａにおいて回収する。
【００５３】
このように、本発明によれば、各店舗で買い物し支払金額の累計が増す毎に記憶媒体に書き込まれる割引後入庫時刻が遅くなり、出庫時には割引後入庫時刻と出庫時刻との差が縮まって駐車時間が短く演算され、駐車時間に応じて支払う駐車料金は、各店舗での支払金額に応じた割引金額となるため、出庫時の精算処理は、駐車時間の算出と駐車料金の算出とに一本化され、システムの構成を簡略化することができる。
【００５４】
以上の通り、本発明の実施の形態について説明したが、本発明はこれに限らず、種々の変形、応用が可能である。
【００５５】
たとえば、上述の実施の形態では、出庫時刻から割引後入庫時刻を減算する演算を行って駐車時間を算出し、この駐車時間に基づき駐車料金を算出しているが、各店舗における支払い金額の累計が多くなって、割引後入庫時刻が出庫時刻より遅くなり、出庫時刻からの割引後入庫時刻の減算結果が負になったならば、駐車料金を無料とするように設定してもよい。また、このように設定した場合、入庫時刻に対して割引時間が付与される支払い金額の上限値の設定を解除するようにしてもよい。
【００５６】
また、上述の実施の形態では、全ての店舗で割引時間を、支払金額１００円毎に１分の割引時間に設定しているが、これに限らず、店舗毎に異なる設定としても良い。また、１日の時間帯、曜日等によって設定を変えるようにしても良い。
【００５７】
また、出口における精算は、現金やプリペイドカードを利用することができ、それ以外にも、ＩＣカードに記録されている現金情報を利用しても良い。
【００５８】
また、上述の実施の形態では、買い物の度に、ＩＣカードに割引後入庫時刻を別個に記録しているが、他の実施例として、入口路上機で書き込まれた入庫時刻の記録エリアに買い物時の割引後入庫時刻を上書きして記録するように構成しても良い。この場合、上書きの結果、ＩＣカードには、最後に買い物をした時の割引後入庫時刻のみが記録されることになる。
【００５９】
さらに、ＩＣカードは、駐車場管理のために個別に発行したものに限定せず、商店街やショッピングセンターが発行しているものやＥＴＣ決済用ＩＣカードを流用しても良く、また、クレジットカード、電子マネー等でも良い。
【００６０】
【発明の効果】
請求項１の発明によれば、出庫時における割引金額の算出処理が不要となり、精算処理を迅速に行うことができる。
【００６１】
請求項２記載の発明によれば、各店舗で買い物し支払金額の累計が増す毎に記憶媒体に書き込まれる割引後入庫時刻が遅くなり、出庫時には割引後入庫時刻と出庫時刻との差が縮まって駐車時間が短く演算され、駐車時間に応じて支払う駐車料金は、各店舗での支払金額に応じた割引金額となるため、出庫時の精算処理は、駐車時間の算出と駐車料金の算出とに一本化され、システムの構成を簡略化することができる。
【００６２】
請求項３記載の発明によれば、店舗用端末は、割引後入庫時刻が、支払金額を入力するのみで、迅速に算出されて記憶媒体に書き込まれるという効果がある。
【００６３】
請求項４記載の発明によれば、支払金額に対する割引金額は適宜、任意に設定することができ、そのため、割引時間が変更された場合でも、支払金額に対する割引時間は、記憶手段を参照して決定することで、割引時間の変更にかかわらず割引後入庫時刻を容易に求めることができる。
【００６４】
請求項５記載の発明によれば、支払金額に応じた割引率を考慮することなく、割引後の駐車料金を迅速に求めることができる。
【図面の簡単な説明】
【図１】本発明の実施の形態に係る駐車料金算出システムの構成図である。
【図２】駐車料金算出システムにおける入口路上機の構成図である。
【図３】入口路上機の外観を示す斜視図である。
【図４】駐車料金算出システムにおける店舗用端末の構成図である。
【図５】店舗用端末の外観を示す斜視図である。
【図６】駐車料金算出システムにおける出口精算機の構成図である。
【図７】出口精算機の外観を示す斜視図である。
【図８】本実施の形態で各処理を行うマイコンの構成を示す図である。
【図９】本実施の形態に係る駐車料金割引精算システムにおける入庫処理から出庫処理までの概要を示す図である。
【図１０】本実施の形態に係るＩＣカードへの入庫時刻および割引後入庫時刻の記録様式を示した図である。
【図１１】入口路上機の処理を説明するフローチャートである。
【図１２】店舗用端末の処理を説明するフローチャートである。
【図１３】出口精算機の処理を説明するフローチャートである。
【図１４】従来システムを示す図である。
【符号の説明】
１　　ＩＣカード（記憶媒体）
２Ａ　入口路上機
３Ａ　店舗用端末
４Ａ　出口精算機
２１　カードリーダライタ
２２　制御部
２３　時計部
２４　表示灯
３１　カードリーダライタ（読取手段および書込手段）
３２　制御部（演算手段）
３３　メモリ（記憶手段）
３４　商品処理機能
３５　表示器
４１　カードリーダ（読取手段）
４２　制御部（演算手段）
４３　利用料金収集機能
４４　時計部
４５　表示器
４６　プリンタ
【図１】
2004110726.tif 000003
【図２】
2004110726.tif 000004
【図３】
2004110726.tif 000005
【図４】
2004110726.tif 000006
【図５】
2004110726.tif 000007
【図６】
2004110726.tif 000008
【図７】
2004110726.tif 000009
【図８】
2004110726.tif 000010
【図９】
2004110726.tif 000011
【図１０】
2004110726.tif 000012
【図１１】
2004110726.tif 000013
【図１２】
2004110726.tif 000014
【図１３】
2004110726.tif 000015
【図１４】
2004110726.tif 000016